(57)【要約】【課題】本発明の課題は、分布定数素子による伝送線路を形成する接地用金属電極と半導体を含む搭載部品を収納する複数のキャビティ構造の凹みの底面に形成した接地用金属電極の少なくとも１個以上を電気的に分離する高周波モジュールを提供することにある。【解決手段】本発明は、分布定数素子による伝送線路を入出力端子の一部とし、半導体を含む搭載部品１６を収納するキャビティ構造の凹み１５と接地用金属電極を有し、少なくとも２層以上の誘電体基板と半導体を用いた高周波モジュールにおいて、前記分布定数素子による伝送線路を形成する接地用金属電極と半導体を含む搭載部品１６を収納する複数のキャビティ構造の凹み１５の底面に形成した接地用金属電極の少なくとも１個以上を電気的に分離したことを特徴とする。【選択図】      図１
2009200119.tif 000002
【特許請求の範囲】
【請求項１】
分布定数素子による伝送線路を入出力端子の一部とし、半導体を含む搭載部品を収納するキャビティ構造の凹みと接地用金属電極を有し、少なくとも２層以上の誘電体基板と半導体を用いた高周波モジュールにおいて、
前記分布定数素子による伝送線路を形成する接地用金属電極と半導体を含む搭載部品を収納する複数のキャビティ構造の凹みの底面に形成した接地用金属電極を電気的に分離したことを特徴とする高周波モジュール。
【請求項２】
分布定数素子による伝送線路を入出力端子の一部とし、半導体を含む搭載部品を収納するキャビティ構造の凹みと接地用金属電極を有し、少なくとも２層以上の誘電体基板と伝送線路による分布定数素子および抵抗、容量、インダクタの集中定数素子による整合回路を有する半導体を用いた高周波モジュールにおいて、
前記伝送線路による分布定数素子および抵抗、容量、インダクタの集中定数素子による整合回路を形成する接地用金属電極と半導体を含む搭載部品を収納する複数のキャビティ構造の凹みの底面に形成した接地用金属電極を電気的に分離したことを特徴とする高周波モジュール。
【発明の詳細な説明】
【技術分野】
【０００１】
本発明は例えばマイクロ波帯以上の移動無線端末や画像伝送装置等に用いられる高周波モジュールに関するものである。
【背景技術】
【０００２】
マイクロ波帯以上の移動無線端末や画像伝送装置等に用いられる高周波モジュールの高周波パッケージでは搭載性や簡素化の観点から装置の小型化、気密構造化、高周波化が重要な要素と成っている。
【０００３】
従来のマイクロ波帯以上の移動無線端末や画像伝送装置等に用いられる高周波パッケージで、金属筐体と多層の誘電体基板を用いた第一の例は、非特許文献１に示すように、伝送線路による分布定数素子を形成した多層の誘電体基板を接地用金属筐体の面上に配置している。この例では、接地用金属筐体の面上に配置した多層の誘電体基板に、半導体を含む搭載部品を収納するキャビティ構造の凹みと接地用金属電極を有し、キャビティ構造の凹みの端面まで伝送線路による分布定数素子を形成し、半導体を含む搭載部品に高周波信号を伝送する構造としている。
【０００４】
同様に、金属筐体と多層の誘電体基板を用いた第二の例は、非特許文献１に示すように、同一面上に接地用金属電極を有する伝送線路による分布定数素子を形成した多層の誘電体基板を接地用金属筐体の面上に配置している。この例では、接地用金属筐体の面上に配置した多層の誘電体基板に、半導体を含む搭載部品を収納するキャビティ構造の凹みと接地用金属電極を有し、キャビティ構造の凹みの端面まで同一面上に接地用金属電極を有する伝送線路による分布定数素子を形成し、半導体を含む搭載部品に高周波信号を伝送する構造としている。
【０００５】
同様に、多層の誘電体基板のみを用いた第三の例は、非特許文献２に示すように、同一面上に接地用金属電極を有する伝送線路による分布定数素子を形成した誘電体基板は接地用金属電極を配置した多層の誘電体基板の面上に配置している。
【０００６】
この例では、接地用金属電極の面上に配置した多層の誘電体基板に、半導体を含む搭載部品を収納するキャビティ構造の凹みと接地用金属電極を有し、キャビティ構造の凹みの端面まで同一面上に接地用金属電極を有する伝送線路による分布定数素子を形成し、半導体を含む搭載部品に高周波信号を伝送する構造としている。
【０００７】
これらの構造は伝送線路による分布定数素子を形成した誘電体基板により半導体を含む搭載部品を収納するキャビティ構造の凹みの端面まで、あるいは、半導体を含む搭載部品を収納するキャビティ構造の空洞の端面まで高周波信号を伝播することが出来る利点と、前記伝送線路による分布定数素子の構造が簡単であるため小型化出来る利点が有る。
【非特許文献１】２００３年３月のＭｉｃｒｏｗａｖｅ  Ａｐｐｌｉｃａｔｉｏｎ  Ｌａｂ．：「ＲＦ  ａｎｄ  Ｍｉｃｒｏｗａｖｅ  Ｐａｃｋａｇｉｎｇ  Ｔｅｃｈｎｏｌｏｇｙ」でＤｉｅｌｅｃｔｒｉｃ  Ｌａｂｏｒａｔｏｒｉｅｓ．のカタログ
【非特許文献２】２００１年のＥｕｒｏｐｅａｎ  Ｍｉｃｒｏｗａｖｅ  Ｃｏｎｆｅｒｅｎｃｅ．３１ｓｔ．：「６０ＧＨｚ−Ｂａｎｄ  Ｆｌｉｐ−Ｃｈｉｐ  ＭＭＩＣ  Ｍｏｄｕｌｅｓ  ｆｏｒ  ＩＥＥＥＥ  １３９４  Ｗｉｒｅｌｅｓｓ  Ａｄａｐｔｅｒｓ．」
【発明の開示】
【発明が解決しようとする課題】
【０００８】
上記の従来技術で示した第一の例では、２層以上の誘電体基板を用いており、伝送線路による分布定数素子を形成した誘電体基板により半導体を含む搭載部品を収納するキャビティ構造の凹みの端面まで、あるいは、半導体を含む搭載部品を収納するキャビティ構造の空洞の端面まで高周波信号が伝播する伝送線路による分布定数素子を形成している。この構造では、誘電体基板の同一面上に接地用導体が形成されない伝送線路による分布定数素子が用いられており、半導体を含む搭載部品を収納するキャビティ構造の凹みが複数ある場合、半導体を含む搭載部品の接地を共通にするため、キャビティ構造の凹みに形成した接地用金属電極は金属板で形成する必要があり、すべて多層の誘電体基板で形成することは難しい。
【０００９】
上記の従来技術で示した第二の例では、２層以上の誘電体基板を用いており、誘電体基板の同一面上に設けた接地電極と伝送線路による分布定数素子を形成した誘電体基板により半導体を含む搭載部品を収納するキャビティ構造の凹みの端面まで、あるいは、半導体を含む搭載部品を収納するキャビティ構造の空洞の端面まで高周波信号が伝播する伝送線路による分布定数素子を形成している。このため、誘電体基板の同一面上に接地用導体を形成した伝送線路による分布定数素子では、半導体を含む搭載部品を収納するキャビティ構造の凹みが複数ある場合、キャビティ構造の凹みに形成した接地用金属電極に、上記、誘電体基板の同一面上に設けた接地電極を接続するためと、半導体を含む搭載部品の接地を共通にするため、キャビティ構造の凹みに形成した接地用金属電極は金属板で形成する必要があり、すべて多層の誘電体基板で形成することは難しい。
【００１０】
上記の従来技術で示した第三の例では、２層以上の誘電体基板を用いており、誘電体基板の同一面上に設けた接地電極と伝送線路による分布定数素子を形成した誘電体基板により半導体を含む搭載部品の端面まで、高周波信号が伝播する伝送線路による分布定数素子を形成している。このため、誘電体基板の同一面上に接地用導体を形成した伝送線路による分布定数素子では、高周波信号を扱う半導体を含む搭載部品が複数ある場合、誘電体基板の同一面上に形成した接地用導体を、多層の誘電体基板に配置した接地用金属電極に接続する必要がある。この場合、上記、誘電体基板の同一面上に設けた接地用電極と接続する多層の誘電体基板に配置した接地用金属電極は、さらに最下部の共通となる接地用金属電極に接続する必要があり、高周波信号を扱う半導体を含む搭載部品を最下部の共通となる接地電極に直接接続することは難しい。
【００１１】
図９は、４層の誘電体基板を用い、誘電体基板上に高周波信号が伝播する伝送線路による分布定数素子を形成し、半導体を含む搭載部品を収納する少なくとも複数のキャビティ構造の凹みの端面まで高周波信号が伝播し、複数のキャビティ構造の凹みに形成した接地用金属電極を接続した高周波モジュールの一般的な構造概略図である。
【００１２】
図９において、第一層目の誘電体基板１０１、第二層目の誘電体基板１０２、第三層目の誘電体基板１０３、第四層目の誘電体基板１０４、第一層目の誘電体基板１０１の表面に形成した高周波信号が伝播する伝送線路による分布定数素子の金属導体１０５、第二層目の誘電体基板１０２に形成した伝送線路による分布定数素子を構成する接地用金属電極１０６、第三層目の誘電体基板１０３に形成した接地用金属電極１０７、１０８、第四層目の誘電体基板１０４に形成した接地用金属電極１０９、１１０、１１１、１１２、１１３、第四層目の誘電体基板１０４の裏面に形成した接地用金属電極１１４、第一層目の誘電体基板１０１に形成したキャビティ構造の凹み１１５、キャビティ構造の凹み１１５に収納する半導体を含む搭載部品１１６で構成する。
【００１３】
第一層目の誘電体基板１０１の表面に形成した直流信号用電極１１７、１１８、１１９は、第二層目の誘電体基板１０２、第四層目の誘電体基板１０４に形成した導電性スルーホールと第三層目の誘電体基板１０３に形成した配線用金属電極１２０、１２１、第四層目の誘電体基板１０４に形成した配線用金属電極１２２により、第四層目の誘電体基板１０４の裏面に形成した金属電極１２３、１２４、１２５に接続され、第一層目の誘電体基板１０１の表面に形成した直流信号用電極１２６、１２７、１２８は、第二層目の誘電体基板１０２、第三層目の誘電体基板１０３、第四層目の誘電体基板１０４に形成した導電性スルーホールにより、第四層目の誘電体基板１０４の裏面に形成した金属電極１２９、１３０、１３１に接続される。
【００１４】
また、第一層目の誘電体基板１０１に配置したバイパスコンデンサ１３２は、第一層目の誘電体基板１０１の表面に形成した接地用金属電極１３３と接続し、第二層目の誘電体基板１０２、第三層目の誘電体基板１０３、第四層目の誘電体基板１０４に形成した導電性スルーホールにより、第二層目の誘電体基板１０２に形成した接地用金属電極１０６、第三層目の誘電体基板１０３に形成した接地用金属電極１０７、１０８、第四層目の誘電体基板１０４に形成した接地用金属電極１０９、第四層目の誘電体基板１０４の裏面に形成した金属用金属電極１１４に接続される。
【００１５】
さらに、第一層目の誘電体基板１０１の表面に形成した高周波信号が伝播する伝送線路による分布定数素子の金属導体１０５は、第二層目の誘電体基板１０２、第三層目の誘電体基板１０３、第四層目の誘電体基板１０４に形成した導電性スルーホールにより、第四層目の誘電体基板１０４の裏面に形成した金属電極１３４、１３５に接続され、外部と接続できる構造となっている。第一層目の誘電体基板１０１に形成したキャビティ構造の凹み１１５に収納する半導体を含む搭載部品１１６は、第二層目の誘電体基板１０２に形成した接地用金属電極１０６に接続され、半導体を含む搭載部品１１６の直下は多数の導電性スルーホール１３６で第三層目の誘電体基板１０３に形成した接地用金属電極１０７、１０８、第四層目の誘電体基板１０４に形成した接地用金属電極１０９、第四層目の誘電体基板１０４の裏面に形成した接地用金属電極１１４に接続される。
【００１６】
図９の構造では、伝送線路による分布定数素子を形成する第一層目の誘電体基板１０１の導体１０５、第二層目の誘電体基板１０２に形成した接地用金属電極１０６により、半導体を含む搭載部品１１６を収納するキャビティ構造の凹み１１５の端面まで高周波信号を伝播することが出来る利点と、前記伝送線路による分布定数素子の構造が簡単であるため小型化出来る利点が有るものの、半導体を含む搭載部品を収納する複数のキャビティ構造の凹み１１５の直下に形成した接地用金属電極１０６は、多数の導電性スルーホール１３６で第三層目の誘電体基板１０３に形成した接地用金属電極１０７、１０８、第四層目の誘電体基板１０４に形成した接地用金属電極１０９、第四層目の誘電体基板１０４の裏面に形成した接地用金属電極１１４に接続されるため、第四層目の誘電体基板１０４の裏面に形成した接地用金属電極１１４と半導体を含む搭載部品１１６の間には微小のインダクタンスが残留し、共振や高周波信号の損失が増加してしまうことがある。
【００１７】
図１０は、従来技術による高周波モジュールの一般的な例である図９の断面概略図である。
【００１８】
図１０において、第一層目の誘電体基板１０１、第二層目の誘電体基板１０２、第三層目の誘電体基板１０３、第四層目の誘電体基板１０４、第一層目の誘電体基板１０１の表面に形成した高周波信号が伝播する伝送線路による分布定数素子の金属導体１０５、第二層目の誘電体基板１０２に形成した伝送線路による分布定数素子を構成する接地用金属電極１０６、第三層目の誘電体基板１０３に形成した接地用金属電極１０７、１０８、第四層目の誘電体基板１０４に形成した接地用金属電極１０９、第四層目の誘電体基板１０４の裏面に形成した接地用金属電極１１４、第一層目の誘電体基板１０１に形成したキャビティ構造の凹み１１５に収納する半導体を含む搭載部品１１６、第三層目の誘電体基板１０３に形成した配線用金属電極１２０、１２１、第四層目の誘電体基板１０４に形成した配線用金属電極１２２で構成され、第一層目の誘電体基板１０１の表面に形成した高周波信号が伝播する伝送線路による分布定数素子の金属導体１０５は、第二層目の誘電体基板１０２、第三層目の誘電体基板１０３、第四層目の誘電体基板１０４に形成した導電性スルーホールにより、第四層目の誘電体基板１０４の裏面に形成した金属電極１３４、１３５に接続され、外部と接続できる構造となっている。
【００１９】
図１１は、従来技術による高周波モジュールの一般的な例である図９において、第一層目の誘電体基板１０１、第二層目の誘電体基板１０２、第三層目の誘電体基板１０３、第四層目の誘電体基板１０４の比誘電率を５．６、厚さを０．１５ｍｍ、伝送線路による分布定数素子の金属導体１０５の金属導体幅を０．２２ｍｍ、第一層目の誘電体基板１０１の表面に形成した直流信号用電極１１７、１１８、１１９、１２６、１２７、１２８の金属導体幅を１．２ｍｍ、第三層目の誘電体基板１０３に形成した配線用金属電極１２０、１２１、第四層目の誘電体基板１０４に形成した配線用金属電極１２２の金属導体幅を１．２ｍｍ、第一層目の誘電体基板１０１の表面に形成した直流信号用電極１１７、１１８、１１９と第三層目の誘電体基板１０３に形成した配線用金属電極１２０、１２１、第四層目の誘電体基板１０４に形成した配線用金属電極１２２を経由して第四層目の誘電体基板１０４の裏面に形成した金属電極１２３、１２４、１２５に接続する導電性スルーホールの直径を０．２ｍｍ、第一層目の誘電体基板１０１の表面に形成した直流信号用電極１２６、１２７、１２８と第四層目の誘電体基板１０４の裏面に形成した金属電極１２９、１３０、１３１に接続する導電性スルーホールの直径を０．２ｍｍ、第二層目の誘電体基板１０２に形成した接地用金属電極１０６、第三層目の誘電体基板１０３に形成した接地用金属電極１０７、１０８、第四層目の誘電体基板１０４に形成した接地用金属電極１０９、第四層目の誘電体基板１０４の裏面に形成した接地用金属電極１１４を接続する導電性スルーホール１３６の直径を０．２ｍｍ、半導体を含む搭載部品１１６を収納する第一層目の誘電体基板１０１に形成したキャビティ構造の凹み１１５を２．８×２．２ｍｍ、半導体を含む搭載部品１１６の直下に形成した多数の導電性スルーホールの直径を０．２ｍｍ、半導体を含む搭載部品１１６を市販の増幅用モノリシックＩＣとした時のＡ−Ｂ間の曲線１が伝送特性、曲線２が入力側反射特性、曲線３が出力側反射特性を示す図である。
【００２０】
図１１において、曲線１の伝送特性では１４ＧＨｚと２０ＧＨｚに急激な増加があり、３ＧＨｚから２０ＧＨｚの範囲において約１１ｄＢの変動を示しており、曲線３の出力側反射特性では２０ＧＨｚに急激な劣化があり不安定になっていることを示している。
【００２１】
本発明は上記の事情に鑑みてなされたもので、分布定数素子による伝送線路を形成する接地用金属電極と半導体を含む搭載部品を収納する複数のキャビティ構造の凹みの底面に形成した接地用金属電極の少なくとも１個以上を電気的に分離することにより、共振や高周波信号の損失が増加しない構造とすることができる高周波モジュールを提供することを目的とする。
【課題を解決するための手段】
【００２２】
上記目的を達成するために本発明は、分布定数素子による伝送線路を入出力端子の一部とし、半導体を含む搭載部品を収納するキャビティ構造の凹みと接地用金属電極を有し、少なくとも２層以上の誘電体基板と半導体を用いた高周波モジュールにおいて、前記分布定数素子による伝送線路を形成する接地用金属電極と半導体を含む搭載部品を収納する複数のキャビティ構造の凹みの底面に形成した接地用金属電極を電気的に分離したことを特徴とするものである。
【００２３】
また本発明は、分布定数素子による伝送線路を入出力端子の一部とし、半導体を含む搭載部品を収納するキャビティ構造の凹みと接地用金属電極を有し、少なくとも２層以上の誘電体基板と伝送線路による分布定数素子および抵抗、容量、インダクタの集中定数素子による整合回路を有する半導体を用いた高周波モジュールにおいて、前記伝送線路による分布定数素子および抵抗、容量、インダクタの集中定数素子による整合回路を形成する接地用金属電極と半導体を含む搭載部品を収納する複数のキャビティ構造の凹みの底面に形成した接地用金属電極を電気的に分離したことを特徴とするものである。
【発明の効果】
【００２４】
本発明の高周波モジュールは、分布定数素子による伝送線路を入出力端子の一部とし、半導体を含む搭載部品を収納する複数のキャビティ構造の凹みと接地用金属電極を有し、少なくとも２層以上の誘電体基板を用いた高周波モジュールの高周波パッケージにおいて、前記分布定数素子による伝送線路を形成する接地用金属電極と半導体を含む搭載部品を収納する複数のキャビティ構造の凹みの底面に形成した接地用金属電極の少なくとも１個以上を電気的に分離する構造、あるいは、分布定数素子による伝送線路を入出力端子の一部とし、半導体を含む搭載部品を収納する複数のキャビティ構造の凹みと接地用金属電極を有し、少なくとも２層以上の誘電体基板を用いた高周波モジュールの高周波パッケージにおいて、前記分布定数素子による伝送線路を形成する接地用金属電極と半導体を含む搭載部品を収納する複数のキャビティ構造の凹みの底面に形成した接地用金属電極のすべてを電気的に分離する構造とすることにより、分布定数素子による伝送線路を入出力端子の一部とし、半導体を含む搭載部品を収納する複数のキャビティ構造の凹みと接地用金属電極を有し、少なくとも２層以上の誘電体基板を用いた高周波モジュールの高周波パッケージにおいて、少なくとも２層以上の誘電体基板の各面上、および、裏面に設けた接地用金属電極を導電性スルーホールで接続しても、半導体を含む搭載部品を収納する複数のキャビティ構造の凹みの底面に形成した接地用金属電極に流れる半導体を含む搭載部品の高周波信号の成分が、前記誘電体基板の各面上に形成した接地用金属電極に流れることがなくなり、共振や高周波信号の損失が増加し周波数特性の急激な変化を起こしにくい構造とすることができる。
【００２５】
さらに、本発明では、誘電体基板の材料としてガラス、セラミック等を用いることにより、誘電体基板の一部を除去して設けた空洞のある誘電体基板を上部に接着して密閉し、気密構造とすることが容易となる。
【発明を実施するための最良の形態】
【００２６】
以下図面を参照して本発明の実施の形態を詳細に説明する。
【００２７】
最初に、本発明の第一の実施形態について詳細に説明する。図１は本発明を適用した高周波モジュールの構造図である。図１において、４層の誘電体基板を用い、第一層目の誘電体基板１、第二層目の誘電体基板２、第三層目の誘電体基板３、第四層目の誘電体基板４で構成し、第一層目の誘電体基板１の表面に形成した高周波信号が伝播する伝送線路による分布定数素子の金属導体５、第二層目の誘電体基板２に形成した伝送線路による分布定数素子を構成する接地用金属電極６、第三層目の誘電体基板３に形成した接地用金属電極７、８、第四層目の誘電体基板４に形成した接地用金属電極９、１０、１１、１２、１３、第四層目の誘電体基板４の裏面に形成した接地用金属電極１４、第一層目の誘電体基板１に形成したキャビティ構造の凹み１５、キャビティ構造の凹み１５に収納する半導体を含む搭載部品１６で構成する。
【００２８】
第一層目の誘電体基板１の表面に形成した直流信号用電極１７、１８、１９は、第二層目の誘電体基板２、第四層目の誘電体基板４に形成した導電性スルーホールと第三層目の誘電体基板３に形成した配線用金属電極２０、２１、第四層目の誘電体基板４に形成した配線用金属電極２２により、第四層目の誘電体基板４の裏面に形成した金属電極２３、２４、２５に接続され、第一層目の誘電体基板１の表面に形成した直流信号用電極２６、２７、２８は、第二層目の誘電体基板２、第三層目の誘電体基板３、第四層目の誘電体基板４に形成した導電性スルーホールにより、第四層目の誘電体基板４の裏面に形成した金属電極２９、３０、３１に接続される。
【００２９】
また、第一層目の誘電体基板１に配置したチップコンデンサよりなるバイパスコンデンサ３２は、第一層目の誘電体基板１の表面に形成した接地用金属電極３３と接続し、第二層目の誘電体基板２、第三層目の誘電体基板３、第四層目の誘電体基板４に形成した導電性スルーホールにより、第二層目の誘電体基板２に形成した接地用金属電極６、第三層目の誘電体基板３に形成した接地用金属電極７、８、第四層目の誘電体基板４に形成した接地用金属電極９、第四層目の誘電体基板４の裏面に形成した接地用金属電極１４に接続される。
【００３０】
さらに、第一層目の誘電体基板１の表面に形成した高周波信号が伝播する伝送線路による分布定数素子の金属導体５は、第二層目の誘電体基板２、第三層目の誘電体基板３、第四層目の誘電体基板４に形成した導電性スルーホールにより、第四層目の誘電体基板４の裏面に形成した金属電極３４、３５に接続され、外部と接続できる入出力端子構造となっている。
【００３１】
第一層目の誘電体基板１に形成したキャビティ構造の凹み１５に収納する半導体を含む搭載部品１６の一部は、第二層目の誘電体基板２に形成した接地用金属電極６に接続され、半導体を含む搭載部品１６の直下は多数の導電性スルーホール３６で第三層目の誘電体基板３に形成した接地用金属電極７、第四層目の誘電体基板４に形成した接地用金属電極９、第四層目の誘電体基板４の裏面に形成した接地用金属電極１４に接続される。
【００３２】
ここで、第一層目の誘電体基板１に形成したキャビティ構造の凹み１５に収納する半導体を含む搭載部品１６は、第二層目の誘電体基板２、第三層目の誘電体基板３、第四層目の誘電体基板４に形成した多数の導電性スルーホール３６で第四層目の誘電体基板４の裏面に形成した接地用金属電極１４に直接接続されるが、第一層目の誘電体基板１に形成したキャビティ構造の凹み１５に収納する半導体を含む搭載部品１６の他の一部は、第二層目の誘電体基板２、第三層目の誘電体基板３、第四層目の誘電体基板４に形成した所定幅の空隙３７により、第二層目の誘電体基板２に形成した接地用金属電極６、第三層目の誘電体基板３に形成した接地用金属電極８、第四層目の誘電体基板４に形成した接地用金属電極９には接続されない。
【００３３】
図１では、第一層目の誘電体基板１、第二層目の誘電体基板２、第三層目の誘電体基板３、第四層目の誘電体基板４の比誘電率を５．６、厚さを０．１５ｍｍ、伝送線路による分布定数素子５の金属導体幅を０．２２ｍｍ、第一層目の誘電体基板１の表面に形成した直流信号用電極１７、１８、１９、２６、２７、２８の金属導体幅を１．２ｍｍ、第三層目の誘電体基板３に形成した配線用金属電極２０、２１、第四層目の誘電体基板４に形成した配線用金属電極２２の金属導体幅を１．２ｍｍ、第一層目の誘電体基板１の表面に形成した直流信号用電極１７、１８、１９と第三層目の誘電体基板３に形成した配線用金属電極２０、２１、第四層目の誘電体基板４に形成した配線用金属電極２２を経由して第四層目の誘電体基板４の裏面に形成した金属電極２３、２４、２５に接続する導電性スルーホールの直径を０．２ｍｍ、第一層目の誘電体基板１の表面に形成した直流信号用電極２６、２７、２８と第四層目の誘電体基板４の裏面に形成した金属電極２９、３０、３１に接続する導電性スルーホールの直径を０．２ｍｍ、伝送線路による分布定数素子を形成する第二層目の誘電体基板２に形成した接地用金属電極６、第三層目の誘電体基板３に形成した接地用金属電極７、第四層目の誘電体基板４に形成した接地用金属電極９、第四層目の誘電体基板４の裏面に形成した接地用金属電極１４を接続する導電性スルーホールの直径を０．２ｍｍ、半導体を含む搭載部品１６を収納する第一層目の誘電体基板１に形成したキャビティ構造の凹み１５を２．８×２．２ｍｍとする。
【００３４】
第一層目の誘電体基板１に形成したキャビティ構造の凹み１５に収納する半導体を含む搭載部品１６の一部の底面に形成した接地用金属電極は、第二層目の誘電体基板２に形成した接地用金属電極６、第三層目の誘電体基板３に形成した接地用金属電極７、８、第四層目の誘電体基板４に形成した接地用金属電極９と０．２ｍｍの空隙３７で接続されないように電気的に分離する。
【００３５】
図２は、本発明を適用した高周波モジュールの第一の実施形態である図１の断面概略図である。
【００３６】
図２において、第一層目の誘電体基板１、第二層目の誘電体基板２、第三層目の誘電体基板３、第四層目の誘電体基板４、第一層目の誘電体基板１の表面に形成した高周波信号が伝播する伝送線路による分布定数素子の金属導体５、第二層目の誘電体基板２に形成した伝送線路による分布定数素子を構成する接地用金属電極６、第三層目の誘電体基板３に形成した接地用金属電極７、８、第四層目の誘電体基板４に形成した接地用金属電極９、第四層目の誘電体基板４の裏面に形成した接地用金属電極１４、第一層目の誘電体基板１に形成したキャビティ構造の凹み１５に収納する半導体を含む搭載部品１６、第三層目の誘電体基板３に形成した配線用金属電極２０、２１、第四層目の誘電体基板４に形成した配線用金属電極２２で構成され、第一層目の誘電体基板１の表面に形成した高周波信号が伝播する伝送線路による分布定数素子の金属導体５は、第二層目の誘電体基板２、第三層目の誘電体基板３、第四層目の誘電体基板４に形成した導電性スルーホールにより、第四層目の誘電体基板４の裏面に形成した金属電極３４、３５に接続され、外部と接続できる構造となっている。
【００３７】
本発明の第一の実施形態では、キャビティ構造の凹み１５を形成した第一層目の誘電体基板１の下部に接地用金属電極を形成した第二層目の誘電体基板２、配線用金属電極２０、２１を形成した第三層目の誘電体基板３、配線用金属電極２２を形成した第四層目の誘電体基板４を重ね、接地用金属電極１４を第四層目の誘電体基板４の裏面に形成する誘電体基板の４層構造としたが、誘電体基板の層数を特に限定するものではない。
【００３８】
図３は、本発明を適用した高周波モジュールの第一の実施形態である図１におけるＡ−Ｂ間の曲線１が伝送特性、曲線２が入力側反射特性、曲線３が出力側反射特性を示す図である。図３において、曲線１の伝送特性では３ＧＨｚから２０ＧＨｚまで急激な増加はなく約４ｄＢ以下の変動であり、曲線２の入力側反射特性、曲線３の出力側反射特性も３ＧＨｚから２０ＧＨｚまで急激な劣化はなく安定に動作することを示している。
【００３９】
次に、本発明の第二の実施形態について詳細に説明する。図４は本発明を適用した高周波モジュールの構造図である。図４において、４層の誘電体基板を用い、第一層目の誘電体基板１、第二層目の誘電体基板２、第三層目の誘電体基板３、第四層目の誘電体基板４で構成し、第一層目の誘電体基板１の表面に形成した高周波信号が伝播する伝送線路による分布定数素子の金属導体５、第二層目の誘電体基板２に形成した伝送線路による分布定数素子を構成する接地用金属電極６、第三層目の誘電体基板３に形成した接地用金属電極７、８、第四層目の誘電体基板４に形成した接地用金属電極９、１０、１１、１２、１３、第四層目の誘電体基板４の裏面に形成した接地用金属電極１４、第一層目の誘電体基板１に形成したキャビティ構造の凹み１５、キャビティ構造の凹み１５に収納する半導体を含む搭載部品１６で構成する。
【００４０】
第一層目の誘電体基板１の表面に形成した直流信号用電極１７、１８、１９は、第二層目の誘電体基板２、第四層目の誘電体基板４に形成した導電性スルーホールと第三層目の誘電体基板３に形成した配線用金属電極２０、２１、第四層目の誘電体基板４に形成した配線用金属電極２２により、第四層目の誘電体基板４の裏面に形成した金属電極２３、２４、２５に接続され、第一層目の誘電体基板１の表面に形成した直流信号用電極２６、２７、２８は、第二層目の誘電体基板２、第三層目の誘電体基板３、第四層目の誘電体基板４に形成した導電性スルーホールにより、第四層目の誘電体基板４の裏面に形成した金属電極２９、３０、３１に接続される。
【００４１】
また、第一層目の誘電体基板１に配置したチップコンデンサよりなるバイパスコンデンサ３２は、第一層目の誘電体基板１の表面に形成した接地用金属電極３３と接続し、第二層目の誘電体基板２、第三層目の誘電体基板３、第四層目の誘電体基板４に形成した導電性スルーホールにより、第二層目の誘電体基板２に形成した接地用金属電極６、第三層目の誘電体基板３に形成した接地用金属電極７、８、第四層目の誘電体基板４に形成した接地用金属電極９、第四層目の誘電体基板４の裏面に形成した接地用金属電極１４に接続される。
【００４２】
さらに、第一層目の誘電体基板１の表面に形成した高周波信号が伝播する伝送線路による分布定数素子の金属導体５は、第二層目の誘電体基板２、第三層目の誘電体基板３、第四層目の誘電体基板４に形成した導電性スルーホールにより、第四層目の誘電体基板４の裏面に形成した金属電極３４、３５に接続され、外部と接続できる入出力端子構造となっている。
【００４３】
第一層目の誘電体基板１に形成したキャビティ構造の凹み１５に収納する半導体を含む搭載部品１６は、第二層目の誘電体基板２、第三層目の誘電体基板３、第四層目の誘電体基板４に形成した多数の導電性スルーホール３６で第四層目の誘電体基板４の裏面に形成した接地用金属電極１４に直接接続されるが、第一層目の誘電体基板１に形成したキャビティ構造の凹み１５に収納する半導体を含む搭載部品１６は、第二層目の誘電体基板２、第三層目の誘電体基板３、第四層目の誘電体基板４に形成した所定幅の空隙３７により、第二層目の誘電体基板２に形成した接地用金属電極６、第三層目の誘電体基板３に形成した接地用金属電極７、８、第四層目の誘電体基板４に形成した接地用金属電極９には接続されない。
【００４４】
図４では、第一層目の誘電体基板１、第二層目の誘電体基板２、第三層目の誘電体基板３、第四層目の誘電体基板４の比誘電率を５．６、厚さを０．１５ｍｍ、伝送線路による分布定数素子の金属導体５の金属導体幅を０．２２ｍｍ、第一層目の誘電体基板１の表面に形成した直流信号用電極１７、１８、１９、２６、２７、２８の金属導体幅を１．２ｍｍ、第三層目の誘電体基板３に形成した配線用金属電極２０、２１、第四層目の誘電体基板４に形成した配線用金属電極２２の金属導体幅を１．２ｍｍ、第一層目の誘電体基板１の表面に形成した直流信号用電極１７、１８、１９と第三層目の誘電体基板３に形成した配線用金属電極２０、２１、第四層目の誘電体基板４に形成した配線用金属電極２２を経由して第四層目の誘電体基板４の裏面に形成した金属電極２３、２４、２５に接続する導電性スルーホールの直径を０．２ｍｍ、第一層目の誘電体基板１の表面に形成した直流信号用電極２６、２７、２８と第四層目の誘電体基板４の裏面に形成した金属電極２９、３０、３１に接続する導電性スルーホールの直径を０．２ｍｍ、伝送線路による分布定数素子を形成する第二層目の誘電体基板２に形成した接地用金属電極６、第三層目の誘電体基板３に形成した接地用金属電極７、８、第四層目の誘電体基板４に形成した接地用金属電極９、１０、１１、１２、１３、第四層目の誘電体基板４の裏面に形成した接地用金属電極１４を接続する導電性スルーホールの直径を０．２ｍｍ、半導体を含む搭載部品１６を収納する第一層目の誘電体基板１に形成したキャビティ構造の凹み１５を２．８×２．２ｍｍとする。
【００４５】
第一層目の誘電体基板１に形成したキャビティ構造の凹み１５に収納する半導体を含む搭載部品１６の底面に形成した接地用金属電極は、第二層目の誘電体基板２に形成した接地用金属電極６、第三層目の誘電体基板３に形成した接地用金属電極７、８、第四層目の誘電体基板４に形成した接地用金属電極９と０．２ｍｍの空隙３７で接続されないように電気的に分離される。
【００４６】
図５は、本発明を適用した高周波モジュールの第二の実施形態である図４の断面概略図である。
【００４７】
図５において、第一層目の誘電体基板１、第二層目の誘電体基板２、第三層目の誘電体基板３、第四層目の誘電体基板４、第一層目の誘電体基板１の表面に形成した高周波信号が伝播する伝送線路による分布定数素子の金属導体５、第二層目の誘電体基板２に形成した伝送線路による分布定数素子を構成する接地用金属電極６、第三層目の誘電体基板３に形成した接地用金属電極７、８、第四層目の誘電体基板４に形成した接地用金属電極９、第四層目の誘電体基板４の裏面に形成した接地用金属電極１４、第一層目の誘電体基板１に形成したキャビティ構造の凹み１５、キャビティ構造の凹み１５に収納する半導体を含む搭載部品１６、第三層目の誘電体基板３に形成した配線用金属電極２０、２１、第四層目の誘電体基板４に形成した配線用金属電極２２で構成され、第一層目の誘電体基板１の表面に形成した高周波信号が伝播する伝送線路による分布定数素子の金属導体５は、第二層目の誘電体基板２、第三層目の誘電体基板３、第四層目の誘電体基板４に形成した導電性スルーホールにより、第四層目の誘電体基板４の裏面に形成した金属電極３４、３５に接続され、外部と接続できる入出力端子構造となっている。
【００４８】
本発明の第二の実施形態では、キャビティ構造の凹み１５を形成した第一層目の誘電体基板１の下部に接地用金属電極を形成した第二層目の誘電体基板２、配線用金属電極２０、２１を形成した第三層目の誘電体基板３、配線用金属電極２２を形成した第四層目の誘電体基板４を重ね、接地用金属電極１４を第四層目の誘電体基板４の裏面に形成する誘電体基板の４層構造としたが、誘電体基板の層数を特に限定するものではない。
【００４９】
図６は、本発明を適用した高周波パッケージの第二の実施形態である図４におけるＡ−Ｂ間の曲線１が伝送特性、曲線２が入力側反射特性、曲線３が出力側反射特性を示す図である。図６において、曲線１の伝送特性では３ＧＨｚから２０ＧＨｚまで急激な変化はなく約２ｄＢ以下の変動であり、曲線２の入力側反射特性、曲線３の出力側反射特性も３ＧＨｚから２０ＧＨｚまで急激な劣化はなく安定に動作することを示している。
【００５０】
次に、本発明の第三の実施形態について詳細に説明する。図７は本発明を適用した高周波モジュールの構造図である。図７において、４層の誘電体基板を用い、第一層目の誘電体基板１、第二層目の誘電体基板２、第三層目の誘電体基板３、第四層目の誘電体基板４で構成し、第一層目の誘電体基板１の表面に形成した高周波信号が伝播する伝送線路による分布定数素子の金属導体５及び抵抗、容量、インダクタンスの集中定数素子による整合回路３８、第二層目の誘電体基板２に形成した伝送線路による分布定数素子を構成する接地用金属電極６、第三層目の誘電体基板３に形成した接地用金属電極７、８、第四層目の誘電体基板４に形成した接地用金属電極９、１０、１１、１２、１３、第四層目の誘電体基板４の裏面に形成した接地用金属電極１４、第一層目の誘電体基板１に形成したキャビティ構造の凹み１５、キャビティ構造の凹み１５に収納する半導体を含む搭載部品１６で構成する。
【００５１】
第一層目の誘電体基板１の表面に形成した直流信号用電極１７、１８、１９は、第二層目の誘電体基板２、第四層目の誘電体基板４に形成した導電性スルーホールと第三層目の誘電体基板３に形成した配線用金属電極２０、２１、第四層目の誘電体基板４に形成した配線用金属電極２２により、第四層目の誘電体基板４の裏面に形成した金属電極２３、２４、２５に接続され、第一層目の誘電体基板１の表面に形成した直流信号用電極２６、２７、２８は，第二層目の誘電体基板２、第三層目の誘電体基板３、第四層目の誘電体基板４に形成した導電性スルーホールにより、第四層目の誘電体基板４の裏面に形成した金属電極２９、３０、３１に接続される。
【００５２】
また、第一層目の誘電体基板１に配置したチップコンデンサよりなるバイパスコンデンサ３２は、第一層目の誘電体基板１の表面に形成した接地用金属電極３３と接続し、第二層目の誘電体基板２、第三層目の誘電体基板３、第四層目の誘電体基板４に形成した導電性スルーホールにより、第二層目の誘電体基板２に形成した接地用金属電極６、第三層目の誘電体基板３に形成した接地用金属電極７、８、第四層目の誘電体基板４に形成した接地用金属電極９、第四層目の誘電体基板４の裏面に形成した接地用金属電極１４に接続される。
【００５３】
さらに、第一層目の誘電体基板１の表面に形成した高周波信号が伝播する伝送線路による分布定数素子の金属導体５は、第二層目の誘電体基板２、第三層目の誘電体基板３、第四層目の誘電体基板４に形成した導電性スルーホールにより、第四層目の誘電体基板４の裏面に形成した金属電極３４、３５に接続され、外部と接続できる入出力端子構造となっている。
【００５４】
第一層目の誘電体基板１に形成したキャビティ構造の凹み１５に収納する半導体を含む搭載部品１６は、第二層目の誘電体基板２、第三層目の誘電体基板３、第四層目の誘電体基板４に形成した多数の導電性スルーホール３６で第四層目の誘電体基板４の裏面に形成した接地用金属電極１４に直接接続されるが、第一層目の誘電体基板１に形成したキャビティ構造の凹み１５に収納する半導体を含む搭載部品１６は、第二層目の誘電体基板２、第三層目の誘電体基板３、第四層目の誘電体基板４に形成した所定幅の空隙３７により、第二層目の誘電体基板２に形成した接地用金属電極６、第三層目の誘電体基板３に形成した接地用金属電極７、８、第四層目の誘電体基板４に形成した接地用金属電極９には接続されない。
【００５５】
図７では、第一層目の誘電体基板１、第二層目の誘電体基板２、第三層目の誘電体基板３、第四層目の誘電体基板４の比誘電率を５．６、厚さを０．１５ｍｍ、伝送線路による分布定数素子の金属導体５の金属導体幅を０．２２ｍｍ、第一層目の誘電体基板１の表面に形成した直流信号用電極１７、１８、１９、２６、２７、２８の金属導体幅を１．２ｍｍ、第三層目の誘電体基板３に形成した配線用金属電極２０、２１、第四層目の誘電体基板４に形成した配線用金属電極２２の金属導体幅を１．２ｍｍ、第一層目の誘電体基板１の表面に形成した直流信号用電極１７、１８、１９と第三層目の誘電体基板３に形成した配線用金属電極２０、２１、第四層目の誘電体基板４に形成した配線用金属電極２２を経由して第四層目の誘電体基板４の裏面に形成した金属電極２３、２４、２５に接続する導電性スルーホールの直径を０．２ｍｍ、第一層目の誘電体基板１の表面に形成した直流信号用電極２６、２７、２８と第四層目の誘電体基板４の裏面に形成した金属電極２９、３０、３１に接続する導電性スルーホールの直径を０．２ｍｍ、伝送線路による分布定数素子を形成する第二層目の誘電体基板２に形成した接地用金属電極６、第三層目の誘電体基板３に形成した接地用金属電極７、８、第四層目の誘電体基板４に形成した接地用金属電極９、１０、１１、１２、１３、第四層目の誘電体基板４の裏面に形成した接地用金属電極１４を接続する導電性スルーホールの直径を０．２ｍｍ、半導体を含む搭載部品１６を収納する第一層目の誘電体基板１に形成したキャビティ構造の凹み１５を２．８×２．２ｍｍとする。整合回路３８は、半導体を含む搭載部品１６と伝送線路による分布定数素子の金属導体５、あるいは、半導体を含む搭載部品１６と半導体を含む搭載部品１６を整合させるための任意の整合回路である。
【００５６】
また、第一層目の誘電体基板１に形成したキャビティ構造の凹み１５に収納する半導体を含む搭載部品１６の底面に形成した接地用金属電極は、第二層目の誘電体基板２に形成した接地用金属電極６、第三層目の誘電体基板３に形成した接地用金属電極７、８、第四層目の誘電体基板４に形成した接地用金属電極９と０．２ｍｍの空隙３７で接続されない。したがって、伝送線路による分布定数素子および抵抗、容量、インダクタの集中定数素子による整合回路を形成する接地用金属電極と半導体を含む搭載部品を収納する複数のキャビティ構造の凹みの底面に形成した接地用金属電極は電気的に分離される。
【００５７】
図８は、本発明を適用した高周波モジュールの第二の実施形態である図７の断面概略図である。
【００５８】
図８において、第一層目の誘電体基板１、第二層目の誘電体基板２、第三層目の誘電体基板３、第四層目の誘電体基板４、第一層目の誘電体基板１の表面に形成した高周波信号が伝播する伝送線路による分布定数素子の金属導体５及び整合回路３８、第二層目の誘電体基板２に形成した伝送線路による分布定数素子を構成する接地用金属電極６、第三層目の誘電体基板３に形成した接地用金属電極７、８、第四層目の誘電体基板４に形成した接地用金属電極９、第四層目の誘電体基板４の裏面に形成した接地用金属電極１４、第一層目の誘電体基板１に形成したキャビティ構造の凹み１５に収納する半導体を含む搭載部品１６、第三層目の誘電体基板３に形成した配線用金属電極２０、２１、第四層目の誘電体基板４に形成した配線用金属電極２２で構成され、第一層目の誘電体基板１の表面に形成した高周波信号が伝播する伝送線路による分布定数素子の金属導体５は、第二層目の誘電体基板２、第三層目の誘電体基板３、第四層目の誘電体基板４に形成した導電性スルーホールにより、第四層目の誘電体基板４の裏面に形成した金属電極３４、３５に接続され、外部と接続できる構造となっている。
【００５９】
本発明の第三の実施形態では、キャビティ構造の凹み１５を形成した第一層目の誘電体基板１の下部に接地用金属電極を形成した第二層目の誘電体基板２、配線用金属電極２０、２１を形成した第三層目の誘電体基板３、配線用金属電極２２を形成した第四層目の誘電体基板４を重ね、接地用金属電極１４を第四層目の誘電体基板４の裏面に形成する誘電体基板の４層構造としたが、誘電体基板の層数を特に限定するものではない。
【００６０】
尚、上記各実施形態において、誘電体基板１〜４の材料としてガラス、セラミック等を用いることができる。
【００６１】
以上のように本発明の実施形態は、分布定数素子による伝送線路を入出力端子の一部とし、半導体を含む搭載部品を収納する複数のキャビティ構造の凹みと接地用金属電極を有し、少なくとも２層以上の誘電体基板を用いた高周波モジュールの高周波パッケージにおいて、前記分布定数素子による伝送線路を形成する接地用金属電極と半導体を含む搭載部品を収納する複数のキャビティ構造の凹みの底面に形成した接地用金属電極の少なくとも１個以上を電気的に分離する構造、あるいは、分布定数素子による伝送線路を入出力端子の一部とし、半導体を含む搭載部品を収納する複数のキャビティ構造の凹みと接地用金属電極を有し、少なくとも２層以上の誘電体基板を用いた高周波モジュールの高周波パッケージにおいて、前記分布定数素子による伝送線路を形成する接地用金属電極と半導体を含む搭載部品を収納する複数のキャビティ構造の凹みの底面に形成した接地用金属電極のすべてを電気的に分離する構造とした。
【００６２】
これにより、分布定数素子による伝送線路を入出力端子の一部とし、半導体を含む搭載部品を収納する複数のキャビティ構造の凹みと接地用金属電極を有し、少なくとも２層以上の誘電体基板を用いた高周波モジュールの高周波パッケージにおいて、少なくとも２層以上の誘電体基板の各面上、および、裏面に設けた接地用金属電極を導電性スルーホールで接続しても、半導体を含む搭載部品を収納する複数のキャビティ構造の凹みの底面に形成した接地用金属電極に流れる半導体を含む搭載部品の高周波信号の成分が、前記誘電体基板の各面上に形成した接地用金属電極に流れることがなくなり、共振や高周波信号の損失が増加しない構造とすることができる。
【００６３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６４】
【図１】本発明の第一の実施形態に係る高周波モジュールを示す分解斜視図である。
【図２】本発明の第一の実施形態に係る高周波モジュールを示す断面図である。
【図３】本発明の第一の実施形態に係る高周波モジュールの伝送特性を示す特性曲線図である。
【図４】本発明の第二の実施形態に係る高周波モジュールを示す分解斜視図である。
【図５】本発明の第二の実施形態に係る高周波モジュールを示す断面図である。
【図６】本発明の第二の実施形態に係る高周波モジュールの伝送特性を示す特性曲線図である。
【図７】本発明の第三の実施形態に係る高周波モジュールを示す分解斜視図である。
【図８】本発明の第三の実施形態に係る高周波モジュールを示す断面図である。
【図９】従来の高周波モジュールを示す分解斜視図である。
【図１０】従来の高周波モジュールを示す断面図である。
【図１１】従来の高周波モジュールの伝送特性を示す特性曲線図である。
【符号の説明】
【００６５】
１…誘電体基板、２…誘電体基板、３…誘電体基板、４…誘電体基板、５…伝送線路による分布定数素子を形成する導体、６…接地用金属電極、７…接地用金属電極、８…接地用金属電極、９…接地用金属電極、１０…接地用金属電極、１１…接地用金属電極、１２…接地用金属電極、１３…接地用金属電極、１４…接地用金属電極、１５…誘電体基板を除去したキャビティ構造の凹み、１６…半導体を含む搭載部品、１７…直流信号用電極、１８…直流信号用電極、１９…直流信号用電極、２０…配線用金属電極、２１…配線用金属電極、２２…配線用金属電極、２３…金属電極、２４…金属電極、２５…金属電極、２６…直流信号用電極、２７…直流信号用電極、２８…直流信号用電極、２９…金属電極、３０…金属電極、３１…金属電極、３２…チップコンデンサよりなるバイパスコンデンサ、３３…金属電極、３４…金属電極、３５…金属電極、３６…導電性のスルーホール、３７…接地用金属電極の空隙、３８…整合回路。
【図１】
2009200119.tif 000003
【図２】
2009200119.tif 000004
【図３】
2009200119.tif 000005
【図４】
2009200119.tif 000006
【図５】
2009200119.tif 000007
【図６】
2009200119.tif 000008
【図７】
2009200119.tif 000009
【図８】
2009200119.tif 000010
【図９】
2009200119.tif 000011
【図１０】
2009200119.tif 000012
【図１１】
2009200119.tif 000013